(57)【要約】【課題】３相４線式の配電網において単一の装置でそれぞれの相間の電力を制御し蓄電することのできる電力制御蓄電装置を提供する。【解決手段】３相４線式の系統の電力を蓄電し、また系統の各相に独立して電力を供給する電力制御蓄電装置１であって、直列に接続されたＴＯＰ電池及びＢＯＴＴＯＭ電池と、直列に接続されたＴＯＰ電池及びＢＯＴＴＯＭ電池の直流電力を各相の交流電力に変換する各インバータ１２ｕ、１２ｖ、１２ｗと、各インバータのスイッチング動作を独立して制御するゲート制御回路１１ｕ、１１ｖ、１１ｗと、を備え、前記ＴＯＰ電池とＢＯＴＴＯＭ電池との接続中点が中性点としてアースされ、前記各インバータは、スイッチング素子と還流ダイオードとで構成される半導体素子が２段接続された２ｉｎ１構成である。【選択図】図２
2015002605.tif 000002
【特許請求の範囲】
【請求項１】
３相４線式の系統の電力を蓄電し、また系統の各相に独立して電力を供給する電力制御蓄電装置であって、
直列に接続されたＴＯＰ電池及びＢＯＴＴＯＭ電池と、
直列に接続されたＴＯＰ電池及びＢＯＴＴＯＭ電池の直流電力を各相の交流電力に変換する各インバータと、
各インバータのスイッチング動作を独立して制御するゲート制御回路と、を備え、
前記ＴＯＰ電池とＢＯＴＴＯＭ電池との接続中点が中性点としてアースされ、
前記各インバータは、スイッチング素子と還流ダイオードとで構成される半導体素子が２段接続された２ｉｎ１構成である、電力制御蓄電装置。
【請求項２】
前記ゲート制御回路は、系統の各相に独立して電力を供給する際、前記ＴＯＰ電池とＢＯＴＴＯＭ電池の出力電圧にアンバランスが生じているときは、前記２つの半導体素子のスイッチング比率を変更して供給する電力の波形を制御する、請求項１に記載の電力制御蓄電装置。
【請求項３】
前記ゲート制御回路は、前記スイッチング比率の変更においては、交流出力電圧指令である正弦波基準についてニュートラル電位がオフセットした波形を新たな正弦波基準として、搬送波と逐次比較して半導体素子をスイッチングする信号を生成する、請求項２に記載の電力制御蓄電装置。
【請求項４】
前記各インバータの各相の出力線に直列に接続するリアクトルを更に備え、
前記ゲート制御回路は、系統の電力を蓄電する際、前記インバータを昇圧チョッパとして動作させる、請求項１に記載の電力制御蓄電装置。
【請求項５】
前記ＴＯＰ電池及びＢＯＴＴＯＭ電池は、それぞれ並列に接続された複数の電池パックを有し、
系統の電力を蓄電する際、並列に接続された複数の電池パックのうち、充電状態が低い少なくとも一台の電池パックが適宜の周期で選択されて充電される、請求項４に記載の電力制御蓄電装置。
【請求項６】
前記各インバータが出力する交流電力を増圧して系統に電力を供給する変圧器を更に備える、請求項１乃至５のうちのいずれか１項に記載の電力制御蓄電装置。
【請求項７】
前記電力制御蓄電装置は、低圧基準で構成される、請求項１乃至６のうちのいずれか１項に記載の電力制御蓄電装置。
【発明の詳細な説明】
【技術分野】
【０００１】
本発明の実施形態は、電力制御蓄電装置に関する。
【背景技術】
【０００２】
東日本大震災を契機に、需要家の住居などに配置して停電時においても独立した非常用電源として活用することができる安心・安全な電源装置に対するニーズが増大している。そこで、系統電源と結合して電力を蓄電池に保存し、必要時に蓄電池に保存した電力を使用することのできる電力制御蓄電装置（ＢＥＳＳ：Ｂａｔｔｅｒｙ  Ｅｎｅｒｇｙ  Ｓｔｏｒａｇｅ  Ｓｙｓｔｅｍ）が知られている。
【０００３】
この電力制御蓄電装置を用いることで、電気使用量が相対的に少ない夜間に系統電力を電池に蓄電し、昼間には太陽光発電と共に電力を負荷に供給してピークカットを実現することができる。また、停電などの系統障害時には、非常用電源として使用することもできる。
【先行技術文献】
【非特許文献】
【０００４】
【非特許文献１】http://www.edisonpower.co.jp/product/bess.html
【発明の概要】
【発明が解決しようとする課題】
【０００５】
図１０は、従来の電力制御蓄電装置を、３相４線式の配電網において工場・商業施設・集合住宅などの需要家の住居に適用した構成例を示す図である。従来の電力制御蓄電装置は、単相電力を対象として構成されていた。そのため、３相４線式の配電網において電力制御蓄電装置を用いる場合は、単相の電力制御蓄電装置をそれぞれの相間に複数台、設置することが必要とされた。さらに各相には異なる需要家が接続されており、電力の使用状況は各需要家ごと時々刻々変化し、各相に電圧不平衡が発生する。このため時間ごとに変動する電圧不平衡を解消するため、各相ごとに接続された電力制御蓄電装置を、個別に制御することが必要であった。
【０００６】
しかしながら、このように各相間に個別に電力制御蓄電装置を設置する形態では、設置コストを低減化し、また設置スペースを低減化するとのニーズに対応することには限界がある。さらに、複数の電力制御蓄電装置を系統的に制御し運用しようとする際には、複数の電力制御蓄電装置相互で煩雑な信号授受が必要となる。
【０００７】
本願は、斯かる事情に鑑みてなされたものであって、３相４線式の配電網において単一の装置でそれぞれの相間の電力を制御し蓄電することのできる電力制御蓄電装置を提供することを目的とする。
【課題を解決するための手段】
【０００８】
上記課題を解決するための本発明の実施の形態によれば、３相４線式の系統の電力を蓄電し、また系統の各相に独立して電力を供給する電力制御蓄電装置であって、直列に接続されたＴＯＰ電池及びＢＯＴＴＯＭ電池と、直列に接続されたＴＯＰ電池及びＢＯＴＴＯＭ電池の直流電力を各相の交流電力に変換する各インバータと、各インバータのスイッチング動作を独立して制御するゲート制御回路と、を備え、前記ＴＯＰ電池とＢＯＴＴＯＭ電池との接続中点が中性点としてアースされ、前記各インバータは、スイッチング素子と還流ダイオードとで構成される半導体素子が２段接続された２ｉｎ１構成である、電力制御蓄電装置が提供される。
【図面の簡単な説明】
【０００９】
【図１】第１の実施の形態の電力制御蓄電装置を３相４線式の配電網を介して配電住宅の電力制御に用いる態様を示す図。
【図２】第１の実施の形態の電力制御蓄電装置の構成を示す図。
【図３】第１の実施の形態の電力制御蓄電装置の蓄電池パネルの構成を示す図。
【図４】第１の実施の形態の電力制御蓄電装置の電力変換器における起動充電の動作を説明するための図。
【図５】第１の実施の形態の電力制御蓄電装置の蓄電池パネルにおける起動充電の動作を説明するための図。
【図６】第１の実施の形態の電力制御蓄電装置の電力変換器における電圧バランス制御の動作を説明するための図。
【図７】第１の実施の形態の電力制御蓄電装置における電圧バランスがくずれていない場合のインバータの動作原理を説明するための図。
【図８】第１の実施の形態の電力制御蓄電装置の電力変換器における電圧バランス制御の動作を説明するための図。
【図９】第２の実施の形態の電力制御蓄電装置の構成を示す図。
【図１０】従来の電力制御蓄電装置を、３相４線式の配電網において工場・商業施設・集合住宅などの需要家の住居に適用した構成例を示す図。
【図１１】従来の電力制御蓄電装置（Ｕ相）の構成を示す概略図。
【発明を実施するための形態】
【００１０】
［第１の実施の形態］  
図１は、第１の実施の形態の電力制御蓄電装置１を３相４線式の配電網を介して配電住宅の電力制御に用いる態様を示す図である。
【００１１】
この３相４線式の配電網のＵ，Ｖ，Ｗの線間の電圧は４００Ｖ（３相）であり、中性点ＮとそれぞれＵ，Ｖ，Ｗとの間の相間電圧は２３０Ｖ（単相）である。そして、それぞれの配電住宅２ａ、２ｂ、２ｃには、単相の電力が供給されている。
【００１２】
ところで、それぞれの配電住宅２ａ、２ｂ、２ｃが使用する電力は同一ではないため、相関の負荷がアンバランスとなりえる。そこで、独立して相間に電力エネルギの供給と蓄積とが可能な電力制御蓄電装置１を設け、相関の負荷をバランスさせる。そのため、電力制御蓄電装置１には、電力を蓄電する機能と、交流電力を生成するインバータの機能とが設けられている。
【００１３】
なお、電力制御蓄電装置１がスタンドアロンで相間の負荷をバランスするように構成することができるが、第１の実施の形態では、上位制御装置３が相間の負荷を監視し、電力制御蓄電装置１に対してＵ相、Ｖ相、Ｗ相独立して個別に電力を制御する指令を与えるように構成する。
【００１４】
図２は、第１の実施の形態の電力制御蓄電装置１の構成を示す図である。
【００１５】
電力制御蓄電装置１は、電力変換器１０及び蓄電池パネル２０を備えている。電力エネルギを系統に供給する際には、蓄電池パネル２０からの直流電力を電力変換器１０が各相の交流電力に変換する。電力エネルギを蓄積する際には、系統の各相の交流電力を電力変換器１０が直流電力に変換して蓄電池パネル２０に出力する。
【００１６】
蓄電池パネル２０には、例えば電池パック２１ａ、及び電池パック２１ｂが直列に接続されている。そして、電池パック２１ａと電池パック２１ｂの接続点が電力変換器１０の端子中性点Ｎを介してグラウンド（アース）に設置されている。また、電池パック２１ａの正極端子が電力変換器１０の端子Ｐ（プラス）点、電池パック２１ｂの負極端子が電力変換器１０の端子Ｍ（マイナス）点に接続されている。
【００１７】
電池パック２１ａ（２１ｂ）は、例えば、１８個の電池モジュールが直列に接続された構成である。ここで１個の電池モジュールは、電圧が１．８〜２．７Ｖのセルを１２個直列に接続している。従って、電池パック２１ａ（２１ｂ）の電圧は、３８９〜５８３Ｖである。ここで、電池パック２１ａ、２１ｂを直列に接続した電圧は１０００Ｖよりも大きくなるが、中性点Ｎがグラウンドに接続されているため、グラウンドに対するＰ点、Ｍ点の電圧は７５０Ｖよりも小さくなり、低圧基準で設備を設計することができる。
【００１８】
電力変換器１０には、インバータ１２Ｕ、１２Ｖ、１２Ｗ、及びＰＣＳ（Ｐｏｗｅｒ  Ｃｏｎｄｉｔｉｏｎｅｒ）３０が設けられている。インバータ１２Ｕ、１２Ｖ、１２Ｗは、蓄電池パネル２０からの直流電力を交流電力に変換する。ＰＣＳ３０は、電力変換器１０の動作を統括して制御する。
【００１９】
電力変換器１０の端子Ｐ点は、接触器と充電抵抗とからなる断続器１５ａを介してインバータ１２Ｕ、１２Ｖ、１２Ｗの正極側端子に接続している。電力変換器１０の端子Ｍ点は、接触器と充電抵抗とからなる断続器１５ｂを介してインバータ１２Ｕ、１２Ｖ、１２Ｗの負極側端子に接続している。そして、インバータ１２Ｕ、１２Ｖ、１２Ｗの正極側端子と中性点Ｎとの間には平滑コンデンサ１６ａが設けられ、インバータ１２Ｕ、１２Ｖ、１２Ｗの負極側端子と中性点Ｎとの間には平滑コンデンサ１６ａが設けられている。
【００２０】
インバータ１２Ｕ、１２Ｖ、１２Ｗは、各相（ＵＶＷ）毎にスイッチング素子であるＩＧＢＴ(insulated gate bipolar transistor)等の自己消弧形半導体素子が２つ直列に接続され、さらに還流ダイオードがそれぞれのＩＧＢＴに並列に接続されている。即ち、スイッチング素子と還流ダイオードとで構成される半導体素子が直列に２段接続された、２ｉｎ１の構成である。
【００２１】
電力変換器１０には、ゲート制御回路１１Ｕ、１１Ｖ、１１Ｗが設けられている。ゲート制御回路１１Ｕ、１１Ｖ、１１Ｗは、それぞれ上位制御装置３からの電力制御指令に基づいて、インバータ１２Ｕ、１２Ｖ、１２Ｗの２つの半導体素子をパルス幅変調（ＰＷＭ： Pulse Width Modulation）制御によりスイッチングし、直流電力を交流電力に変換する。２つの半導体素子の接続中点からインバータの変換出力である交流電力が取り出される。
【００２２】
変換された交流電力は、それぞれのインバータ１２Ｕ、１２Ｖ、１２Ｗの出力ラインに直列に配したフィルタリアクトル１４Ｕ、１４Ｖ、１４Ｗと、断続器１５Ｕ、１５Ｖ、１５Ｗを介して、Ｕ相、Ｖ相、Ｗ相に出力される。
【００２３】
一方、それぞれのインバータ１２Ｕ、１２Ｖ、１２Ｗの出力ラインには電流検知器１３Ｕ、１３Ｖ、１３Ｗが設けられて出力電流を検知する。さらにそれぞれのインバータ１２Ｕ、１２Ｖ、１２Ｗの出力ラインと中性点Ｎとの間には、フィルタコンデンサ１７Ｕ、１７Ｖ、１７Ｗが設けられて相間電圧を検知する。
【００２４】
それぞれのゲート制御回路１１Ｕ、１１Ｖ、１１Ｗは、電流検知器１３Ｕ、１３Ｖ、１３Ｗで検知した電流と、フィルタコンデンサ１７Ｕ、１７Ｖ、１７Ｗで検知した電圧とに基づいてインバータ１２Ｕ、１２Ｖ、１２Ｗの動作を制御する。
【００２５】
次に第１の実施の形態の電力制御蓄電装置１と従来の電力制御蓄電装置との相違点について説明する。
【００２６】
図１１は、従来の電力制御蓄電装置（Ｕ相）の構成を示す概略図である。
【００２７】
従来の電力制御蓄電装置のインバータは、配電網のＵ相に出力する１アームと、中性点Ｎに出力する１アームとの２アームで構成されている。また、インバータの正極と負極には、それぞれ１つの電池パックの正極と負極とが接続されている。そして、ゲート制御回路は、２つのアームについてスイッチング動作を制御して相間の電圧を生成する。
【００２８】
これに対して、第１の実施の形態の電力制御蓄電装置１では、図２に示すように各相のインバータは１アームの構成である。また、インバータの正極と負極には、直列に接続された２つの電池パックの正極と負極がそれぞれ接続されている。そして、２つの電池パックの接続中点が中性点Ｎとしてグランドに接続されている。
【００２９】
もし、従来の電力制御蓄電装置の構成を、そのまま採用した場合、各相で共通に接続される中性点Ｎが１アームから出力されることになり、各相独立に所望の電力に制御することは困難である。これに対して、図２に示す構成では、ゲート制御回路１１Ｕ、１１Ｖ、１１Ｗは各相の電力を独立して制御することが可能である。
【００３０】
図３は、第１の実施の形態の電力制御蓄電装置１の蓄電池パネル２０の構成を示す図である。
【００３１】
蓄電池パネル２０には、上部側電池バンク群と下部側電池バンク群とが直列に接続されている。上部側電池バンク群には、４つの電池バンク２２ａ−１、−２、−３、−４が並列に接続して構成されている。下部側電池バンク群には、４つの電池バンク２２ｂ−１、−２、−３、−４が並列に接続して構成されている。
【００３２】
電池バンク２２ａ−１には、電池パック２１ａとＢＭＵ（Ｂａｔｔｅｒｙ  Ｍａｎａｇｅｍｅｎｔ  Ｕｎｉｔ）２３ａとが設けられている。電池バンク２２ａ−２、−３、−４も同様の構成である。電池バンク２２ｂ−１には、電池パック２１ｂとＢＭＵ（Ｂａｔｔｅｒｙ  Ｍａｎａｇｅｍｅｎｔ  Ｕｎｉｔ）２３ｂとが設けられている。電池バンク２２ｂ−２、−３、−４も同様の構成である。
【００３３】
電池バンク２２ａ−１を例として、電池パック２１ａとＢＭＵ２３ａとの動作を説明する。他の電池バンクについても同様である。
【００３４】
ＢＭＵ２３ａは、ゲートウエイ２４ａからの要求に従って、電池パック２１ａの状態（温度、電圧、電流、充電状態、断線の有無など）を取得し、それらの情報をゲートウエイ２４ａに送信する。また、ＢＭＵ２３ａは、パワーリレーＰＰ、ＰＭの動作を制御して、電池パック２１ａの電力を電力変換器１０に供給するか否かを制御する。
【００３５】
ゲートウエイ２４ａとローカル制御部２５とは、取得した情報に基づいて電池パック２１ａの状態を判定し、その結果として所要の動作を行うようにＢＭＵ２３ａを制御する。
【００３６】
図４は、第１の実施の形態の電力制御蓄電装置１の電力変換器１０における起動充電の動作を説明するための図である。
【００３７】
なお、以下の説明においては説明の簡略化のため、その構成が単数か複数かによらず、適宜、電池パック２１ａ、電池パック２１ｂと呼ぶ場合と、ＴＯＰ電池、ＢＯＴＴＯＭ電池と呼ぶ場合とがあることに留意されたい。
【００３８】
例えば、夜間に系統電力を電池に蓄電しようとする場合、電力変換器１０では、蓄電池パネル２０のまずＴＯＰ電池あるいはＢＯＴＴＯＭ電池のうちのいずれか１方の電池を充電し、その充電が終わった後に他方の電池を充電する。
【００３９】
ＴＯＰ電池を充電する際は、ゲート制御回路１１Ｕ、１１Ｖ、１１Ｗがそれぞれインバータ１２Ｕ、１２Ｖ、１２Ｗのアームに設けられている半導体素子Ｔｘ、Ｔｙ、Ｔｚのスイッチング動作を制御する。このスイッチング動作によってフィルタリアクトル１４Ｕ、１４Ｖ、１４Ｗに蓄積されたエネルギが、フィルタコンデンサ１７Ｕ、１７Ｖ、１７Ｗの相間電圧に加算されて平滑コンデンサ１６ａに充電される。即ち、系統電力は、昇圧チョッパ制御によって昇圧された直流電力に変換される。
【００４０】
断続器１５ａは、まず充電抵抗を介して蓄電池パネル２０に電力を供給し、その後、接触器を動作させて、充電抵抗を介さずに蓄電池パネル２０に電力を供給する。
【００４１】
ＢＯＴＴＯＭ電池を充電する際は、ゲート制御回路１１Ｕ、１１Ｖ、１１Ｗがそれぞれインバータ１２Ｕ、１２Ｖ、１２Ｗのアームに設けられている半導体素子Ｔｕ、Ｔｖ、Ｔｘのスイッチング動作を制御することで、同様に、系統電力を昇圧チョッパ制御によって昇圧された直流電力に変換する。
【００４２】
図５は、第１の実施の形態の電力制御蓄電装置１の蓄電池パネル２０における起動充電の動作を説明するための図である。
【００４３】
起動充電の初期状態では、電池バンクのパワーリレーＰＰ、ＰＭは開放されている。電力変換器１０側で起電充電のための動作が行われたときは、ローカル制御部２５は、まずＴＯＰ電池を充電するためにゲートウエイ２４ａを介して電池バンク２２ａ−１、−２、−３、−４のそれぞれの充電状態（ＳＯＣ： State of Charge）を把握する。そして、充電状態の一番低い電池バンクから順に充電を実行する。これら充電状態の把握と充電は適宜の周期で実行される。
【００４４】
電池バンク２２ａ−２、２２ａ−１、２２ａ−３、２２ａ−４の順で充電状態が低いときは、ローカル制御部２５は、ゲートウエイ２４ａを介して、まず電池バンク２２ａ−２のパワーリレーＰＰ、ＰＭを入りに動作させ、電池バンク２２ａ−２を充電する。電池バンク２２ａ−２の充電が終了したことを検知したときは、次に、ローカル制御部２５は、ゲートウエイ２４ａを介して電池バンク２２ａ−１のパワーリレーＰＰ、ＰＭを入りに動作させ、電池バンク２２ａ−１を充電する。同様にして、ローカル制御部２５は、電池バンク２２ａ−３、２２ａ−４の順で充電を実行させる。
【００４５】
そして、ＴＯＰ電池の充電が完了したときは、ローカル制御部２５は、その旨をＰＣＳ３０に通信する。ＰＣＳ３０は、続いてゲート制御回路１１Ｕ、１１Ｖ、１１Ｗに対して、ＢＯＴＴＯＭ電池を充電する動作を指示する。電力変換器１０側の動作が行われたときは、蓄電池パネル２０のローカル制御部２５は、ゲートウエイ２４ｂを介してＢＯＴＴＯＭ電池を充電する動作を実行する。
【００４６】
ＢＯＴＴＯＭ電池を充電する動作は、上述のＴＯＰ電池を充電する動作と同様であるためその詳細の説明は省略する。図５に示す例では、充電状態の低い電池バンク２２ｂ−４、２２ｂ−２、２２ｂ−３、２２ｂ−１の順で充電が行われる。
【００４７】
次に、電力制御蓄電装置１が電力供給中におけるＴＯＰ電池とＢＯＴＴＯＭ電池との電圧バランスを制御する方法について説明する。
【００４８】
ＴＯＰ電池とＢＯＴＴＯＭ電池とは、上述のように起動充電が完了した時点においては、共にフルに充電されるため、発生する電圧はバランスしている。しかし、電力制御蓄電装置１が交流電力の供給を継続するにつれて、一方の電池群のチャージ残量が他方の電池群のチャージ残量よりも小さくなって電圧のバランスがくずれてくる。
【００４９】
図５に示すように、ローカル制御部２５はゲートウエイ２４ａ、２４ｂを介してＴＯＰ電池とＢＯＴＴＯＭ電池の電圧を把握し、この結果をＰＣＳ３０に通信する。
【００５０】
図６は、第１の実施の形態の電力制御蓄電装置１の電力変換器１０における電圧バランス制御の動作を説明するための図である。
【００５１】
ＰＣＳ３０は、ローカル制御部２５からの情報に基づいて電圧のバランスがくずれているか否かを判断する。そして、電圧のバランスがくずれている場合は、ゲート制御回路１１Ｕ、１１Ｖ、１１Ｗを用いて電圧バランス制御を実施する。
【００５２】
ゲート制御回路１１Ｕ、１１Ｖ、１１Ｗは、それぞれインバータ１２Ｕ、１２Ｖ、１２Ｗの半導体素子のスイッチング動作を制御し、ＰＷＭ制御によって電圧バランスを制御する。
【００５３】
図７は、第１の実施の形態の電力制御蓄電装置１における電圧バランスがくずれていない場合のインバータの動作原理を説明するための図である。
【００５４】
ゲート制御回路１１Ｕは、Ｕ相の交流出力電圧指令である正弦波基準ＳＩＮと、三相共通の搬送波であるＴＲを逐次比較することにより、ＳＩＮ  ＞  ＴＲである期間には、半導体素子Ｔｕ＝１、半導体素子Ｔｘ＝０の信号を生成する。また、ＳＩＮ  ＜  ＴＲである期間には、半導体素子Ｔｕ＝０、半導体素子Ｔｘ＝１の信号を生成する。この結果、交流電圧に対応する電圧信号Ｖｕが生成される。
【００５５】
Ｕ相について説明した上述のパルス幅変調制御は三相（ＵＶＷ）毎に実行され、直流電圧が三相交流電圧に変換される。
【００５６】
図８は、第１の実施の形態の電力制御蓄電装置１の電力変換器１０における電圧バランス制御の動作を説明するための図である。
【００５７】
図８（１）に示すように、ＴＯＰ電池の電圧とＢＯＴＴＯＭ電池の電圧とに差が生じた場合、生成される交流電圧波形は、Ｎｅｕｔｒａｌ電位がシフトした波形となる。そこで、交流出力電圧指令である正弦波基準ＳＩＮについてＮｅｕｔｒａｌ電位をオフセットした波形を新たな正弦波基準ＳＩＮとして、搬送波であるＴＲと逐次比較して半導体素子をスイッチングする信号を生成する。これによって、生成される交流電圧波形は、Ｎｅｕｔｒａｌ電位が元の電位にある波形を得ることができ、ＴＯＰ電池の電圧とＢＯＴＴＯＭ電池の電圧とのバランスを図ることができる。
【００５８】
図８（２）は、電圧バランス制御のためのＰＷＭ制御によって、半導体素子Ｔｕ、Ｔｘに付与される信号の波形と、生成した電圧信号Ｖｕの波形を示している。Ｎｅｕｔｒａｌ電位がオフセットした波形によって生じる電圧信号Ｖｕの波形では、半導体素子Ｔｕと半導体素子Ｔｘとのスイッチング時間の比率が、オフセットしていない波形と比較して異なっている。このことから、ＰＷＭ制御において、半導体素子ＴｕとＴｘとのスイッチング比率を制御することによってＴＯＰ電池の電圧とＢＯＴＴＯＭ電池の電圧とのバランスを図れるということができる。
【００５９】
[第２の実施の形態]
第２の実施の形態では、電力制御蓄電装置に変圧器を備えている点が第１の実施の形態と異なっている。第１の実施の形態と機能が同一または同様の部位には同一の符号を付して、その詳細の説明は省略する。
【００６０】
図９は、第２の実施の形態の電力制御蓄電装置１の構成を示す図である。
【００６１】
第２の実施の形態の電力制御蓄電装置１では、変圧器３５がインバータ１２Ｕ、１２Ｖ、１２Ｗの後段に配されている。変圧器３５は、入力電圧を３００Ｖから４００Ｖに増圧して（４／３倍にして）配電網に出力する。従って、インバータ１２Ｕ、１２Ｖ、１２Ｗの出力電圧を、第１の実施の形態と比べて低減することができる。
【００６２】
第２の実施の形態では、インバータ１２Ｕ、１２Ｖ、１２Ｗの出力電圧を、第１の実施の形態と比べて３／４の１７３Ｖ（≒２３０×３／４）に低減することができる。従って、インバータ１２Ｕ、１２Ｖ、１２Ｗの耐圧を１２００Ｖ（≒１７００×３／４）に低減することができる。この結果、世界で最も良く使用されている４００Ｖａｃクラスのインバータを採用することができるため、変圧器３５を設けたとしてもコスト低減を図ることができる。
【００６３】
なお、第２の実施の形態では、蓄電池パネル２０についてもコスト低減を図ることができる。
【００６４】
第１の実施の形態では、電池パック２１ａ（２１ｂ）は、１８個の電池モジュールが直列に接続された構成であった。これに対して、第２の実施の形態では、電池パック２１ａ（２１ｂ）は、１１個の電池モジュールが直列に接続された構成である。従って、電池パック２１ａ（２１ｂ）の電圧は、２３８〜３５６Ｖ（３８９〜５８３Ｖ×１１／１８）である。なお、電池パック２１ａ、２１ｂを直列に接続した電圧は７５０Ｖよりも小さくなるため低圧基準で設備を設計することができる。但し、中性点Ｎをグラウンドに接続することは、個々の相制御のために必要である。
【００６５】
変圧器３５を設けることによって、上述のコスト低減効果の他に、電力変換器１０及び蓄電池パネル２０の直流電圧が、例えば異常時において配電網に出力されることを防止することができる。さらに変圧器３５を設けることによって、他の配電網に対して電力制御蓄電装置１を適用する場合であっても容易に適合させることができる。但し、変圧器３５を設けることによって、電力ロスが増加する点に留意が必要である。
【００６６】
尚、本発明は、上記実施形態そのままに限定されるものではなく、実施段階ではその要旨を逸脱しない範囲で構成要素を変形して具体化できる。  
上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６７】
１…電力制御蓄電装置、３…上位制御装置、１０…電力変換器、１１Ｕ、１１Ｖ、１１Ｗ…ゲート制御回路、１２Ｕ、１２Ｖ、１２Ｗ…インバータ、１３Ｕ、１３Ｖ、１３Ｗ…電流検知器、１４Ｕ、１４Ｖ、１４Ｗ…フィルタリアクトル、１５ａ、１５ｂ…断続器、１５Ｕ、１５Ｖ、１５Ｗ…断続器、１７Ｕ、１７Ｖ、１７Ｗ…フィルタコンデンサ、２０…蓄電池パネル、２１ａ、２１ｂ…電池パック、２２ａ、２２ｂ…電池バンク、２３ａ、２３ｂ…ＢＭＵ、２４ａ、２４ｂ…ゲートウエイ、２５…ローカル制御部、３０…ＰＣＳ、３５…変圧器。
【図１】
2015002605.tif 000003
【図２】
2015002605.tif 000004
【図３】
2015002605.tif 000005
【図４】
2015002605.tif 000006
【図５】
2015002605.tif 000007
【図６】
2015002605.tif 000008
【図７】
2015002605.tif 000009
【図８】
2015002605.tif 000010
【図９】
2015002605.tif 000011
【図１０】
2015002605.tif 000012
【図１１】
2015002605.tif 000013